(57)【特許請求の範囲】
【請求項１】
送信ノードにおける方法であって、前記方法は、
所定長の１つ以上の時間インターバルのそれぞれに第１の整数個のシンボルインターバルを有する第１の信号を生成すること（1110）であって、前記第１の信号における各シンボルインターバルは、第１のシンボル期間を含み、前記第１の信号における各シンボルインターバルは、サイクリックプレフィックス期間を更に含み、前記サイクリックプレフィックス期間は、所定のパターンに従ってシンボルインターバルとシンボルインターバルの間で変化する、前記第１の信号を生成することと、
前記所定長の前記１つ以上の時間インターバルのそれぞれに第２の整数個のシンボルインターバルを有する第２の信号を生成すること（1120）であって、前記第２の整数は前記第１の整数と異なり、前記第２の信号における各シンボルインターバルは、前記第１のシンボル期間と異なる第２のシンボル期間を含む、前記第２の信号を生成することと、
ここで、前記第１及び第２の信号は、それぞれ第１及び第２のサブキャリア間隔を有し、前記第１及び第２のサブキャリア間隔は互いに異なり、
周波数帯域において前記第１及び第２の信号が周波数領域多重化され、かつ、前記第１の信号におけるシンボルインターバル開始時間が、時間インターバルごとに少なくとも１回、前記第２の信号における対応するシンボルインターバル開始時間とアラインされるように、前記周波数帯域で前記第１及び第２の信号を同時に送信すること（1130）と、
を含む方法。
【請求項２】
請求項１に記載の方法であって、前記１つ以上の時間インターバルの前記所定長は、１ミリ秒である、方法。
【請求項３】
請求項１又は２に記載の方法であって、前記第１及び第２のシンボル期間は、それぞれ、１／３４．５６マイクロ秒のサンプリングインターバルの整数倍である、方法。
【請求項４】
請求項３に記載の方法であって、前記整数倍はそれぞれ２の累乗である、方法。
【請求項５】
請求項１から４のいずれか１項に記載の方法であって、前記第１及び第２の信号の一方又は両方は、前記時間インターバルについての前記所定長に等しい周期性を有する参照信号系列を含む、方法。
【請求項６】
請求項１から５のいずれか１項に記載の方法であって、前記第１及び第２の信号の一方又は両方は、前記時間インターバルについての前記所定長の整数倍に等しい周期性を有する同期信号を含む、方法。
【請求項７】
請求項１から６のいずれか１項に記載の方法であって、前記送信すること（1130）は、時分割複信（ＴＤＤ）方式の１つ以上の送信インターバルの期間中に実行され、前記ＴＤＤ方式の送信インターバルと受信インターバルとの間の切り替えは、前記所定長の整数個の前記時間インターバルによって区切られた切り替え時間においてのみ実行される、方法。
【請求項８】
請求項１から７のいずれか１項に記載の方法であって、
前記第１及び第２の信号のそれぞれを生成すること（1110, 1120）は、所定の逆高速フーリエ変換（ＩＦＦＴ）長に適合させるためにデータサンプルの系列を０でパディングすることと、データサンプルの前記パディングされた系列に対してＩＦＦＴを実行することと、前記ＩＦＦＴの出力を、パルス整形フィルタでフィルタリングすることと、を含み、
前記パディングは、前記第１及び第２の信号についての前記ＩＦＦＴの出力が前記周波数領域で多重化されるように実行され、
前記方法は、前記第１及び第２の信号についての前記パルス整形フィルタの出力を合成することを更に含む、方法。
【請求項９】
請求項８に記載の方法であって、前記第１及び第２の信号のそれぞれを生成すること（1110, 1120）は、データサンプルの前記系列を得るために一連のサンプル値に対して高速フーリエ変換（ＦＦＴ）を実行することを含み、前記パディングは、前記第１及び第２の信号についての前記ＩＦＦＴの出力が前記周波数領域においてオーバラップしないように、データサンプルの前記系列を、先行する０若しくは後続する０又はその両方と連結させることを含む、方法。
【請求項１０】
請求項１から９のいずれか１項に記載の方法であって、前記第１の信号又は前記第２の信号はＬＴＥ信号である、方法。
【請求項１１】
受信ノードにおける方法であって、前記方法は、
周波数帯域で無線周波数信号を受信すること（1210）と、
前記受信した無線周波数信号から、所定長の１つ以上の時間インターバルのそれぞれに第１の整数個のシンボルインターバルを有する第１の信号を復元すること（1220）であって、前記第１の信号における各シンボルインターバルは、第１のシンボル期間を含み、前記第１の信号における各シンボルインターバルは、サイクリックプレフィックス期間を更に含み、前記サイクリックプレフィックス期間は、所定のパターンに従ってシンボルインターバルとシンボルインターバルの間で変化する、前記第１の信号を復元することと、
前記受信した無線周波数信号から、前記所定長の前記１つ以上の時間インターバルのそれぞれに第２の整数個のシンボルインターバルを有する第２の信号を復元すること（1230）と、を含み、前記第２の整数は前記第１の整数と異なり、前記第２の信号における各シンボルインターバルは、前記第１のシンボル期間と異なる第２のシンボル期間を含み、
前記第１及び第２の信号は、それぞれ第１及び第２のサブキャリア間隔を有し、前記第１及び第２のサブキャリア間隔は互いに異なり、
前記第１及び第２の信号は、前記周波数帯域で周波数領域多重化されており、かつ、前記時間インターバルの少なくとも１つで時間的にオーバラップしており、前記第１の信号におけるシンボルインターバル開始時間は、時間インターバルごとに少なくとも１回、前記第２の信号における対応するシンボルインターバル開始時間とアラインされている、方法。
【請求項１２】
請求項１１に記載の方法であって、更に、
前記第１の信号に含まれる同期信号を用いて前記第１の信号に同期すること（1240）と、
前記同期することに基づいて、前記第１の信号についてのシンボルタイミングを判定すること（1250）と、
前記第１の信号についての前記シンボルタイミングに基づいて、前記第２の信号についてのシンボルタイミングを判定すること（1260）と、を含む方法。
【請求項１３】
無線送信機（30）であって、
所定長の１つ以上の時間インターバルのそれぞれに第１の整数個のシンボルインターバルを有する第１の信号を生成し、前記第１の信号における各シンボルインターバルは、第１のシンボル期間を含み、前記第１の信号における各シンボルインターバルは、サイクリックプレフィックス期間を更に含み、前記サイクリックプレフィックス期間は、所定のパターンに従ってシンボルインターバルとシンボルインターバルの間で変化し、
前記所定長の前記１つ以上の時間インターバルのそれぞれに第２の整数個のシンボルインターバルを有する第２の信号を生成し、前記第２の整数は前記第１の整数と異なり、前記第２の信号における各シンボルインターバルは、前記第１のシンボル期間と異なる第２のシンボル期間を含み、
ここで、前記第１及び第２の信号は、それぞれ第１及び第２のサブキャリア間隔を有し、前記第１及び第２のサブキャリア間隔は互いに異なり、
周波数帯域において前記第１及び第２の信号が周波数領域多重化され、かつ、前記第１の信号におけるシンボルインターバル開始時間が、時間インターバルごとに少なくとも１回、前記第２の信号における対応するシンボルインターバル開始時間とアラインされるように、前記周波数帯域で前記第１及び第２の信号を同時に送信する、
ように構成されている無線送信機。
【請求項１４】
請求項１３に記載の無線送信機（30）であって、前記１つ以上の時間インターバルの前記所定長は、１ミリ秒である、無線送信機。
【請求項１５】
請求項１３又は１４に記載の無線送信機（30）であって、前記第１及び第２のシンボル期間は、それぞれ、１／３４．５６マイクロ秒のサンプリングインターバルの整数倍である、無線送信機。
【請求項１６】
請求項１５に記載の無線送信機（30）であって、前記整数倍はそれぞれ２の累乗である、無線送信機。
【請求項１７】
請求項１３から１６のいずれか１項に記載の無線送信機（30）であって、前記無線送信機（30）は、前記第１及び第２の信号の一方又は両方が、前記時間インターバルについての前記所定長に等しい周期性を有する参照信号系列を含むように、前記第１及び第２の信号を生成する、無線送信機。
【請求項１８】
請求項１３から１７のいずれか１項に記載の無線送信機（30）であって、前記無線送信機（30）は、前記第１及び第２の信号の一方又は両方が、前記時間インターバルについての前記所定長の整数倍に等しい周期性を有する同期信号を含むように、前記第１及び第２の信号を生成する、無線送信機。
【請求項１９】
請求項１３から１８のいずれか１項に記載の無線送信機（30）であって、前記無線送信機（30）は、時分割複信（ＴＤＤ）方式の１つ以上の送信インターバルの期間中に送信を行い、前記ＴＤＤ方式の送信インターバルと受信インターバルとの間の切り替えは、前記所定長の整数個の前記時間インターバルによって区切られた切り替え時間においてのみ実行される、無線送信機。
【請求項２０】
請求項１３から１９のいずれか１項に記載の無線送信機（30）であって、
前記無線送信機（30）は、所定の逆高速フーリエ変換（ＩＦＦＴ）長に適合させるためにデータサンプルの系列を０でパディングすること、データサンプルの前記パディングされた系列に対してＩＦＦＴを実行すること、及び、前記ＩＦＦＴの出力を、パルス整形フィルタでフィルタリングすることによって、前記第１及び第２の信号のそれぞれを生成し、
前記無線送信機（30）は、前記第１及び第２の信号についての前記ＩＦＦＴの出力が前記周波数領域で多重化されるように実行され、前記パディングを実行し、
前記無線送信機（30）は更に、前記第１及び第２の信号についての前記パルス整形フィルタの出力を合成する、無線送信機。
【請求項２１】
請求項２０に記載の無線送信機（30）であって、前記無線送信機（30）は、データサンプルの前記系列を得るために一連のサンプル値に対して高速フーリエ変換（ＦＦＴ）を実行し、前記第１及び第２の信号についての前記ＩＦＦＴの出力が前記周波数領域においてオーバラップしないように、データサンプルの前記系列を、先行する０若しくは後続する０又はその両方と連結させることによって前記パディングを実行する、無線送信機。
【請求項２２】
請求項１３から２１のいずれか１項に記載の無線送信機（30）であって、前記第１の信号又は前記第２の信号はＬＴＥ信号である、無線送信機。
【請求項２３】
無線受信機（50）であって、
周波数帯域で無線周波数信号を受信し、
前記受信した無線周波数信号から、所定長の１つ以上の時間インターバルのそれぞれに第１の整数個のシンボルインターバルを有する第１の信号を復元し、前記第１の信号における各シンボルインターバルは、第１のシンボル期間を含み、前記第１の信号における各シンボルインターバルは、サイクリックプレフィックス期間を更に含み、前記サイクリックプレフィックス期間は、所定のパターンに従ってシンボルインターバルとシンボルインターバルの間で変化し、
前記受信した無線周波数信号から、前記所定長の前記１つ以上の時間インターバルのそれぞれに第２の整数個のシンボルインターバルを有する第２の信号を復元するように構成されており、前記第２の整数は前記第１の整数と異なり、前記第２の信号における各シンボルインターバルは、前記第１のシンボル期間と異なる第２のシンボル期間を含み、
前記第１及び第２の信号は、それぞれ第１及び第２のサブキャリア間隔を有し、前記第１及び第２のサブキャリア間隔は互いに異なり、
前記第１及び第２の信号は、前記周波数帯域で周波数領域多重化されており、かつ、前記時間インターバルの少なくとも１つで時間的にオーバラップしており、前記第１の信号におけるシンボルインターバル開始時間は、時間インターバルごとに少なくとも１回、前記第２の信号における対応するシンボルインターバル開始時間とアラインされている、無線受信機。
【請求項２４】
請求項２３に記載の無線受信機（50）であって、前記無線受信機（50）は更に、
前記第１の信号に含まれる同期信号を用いて前記第１の信号に同期し、
前記同期することに基づいて、前記第１の信号についてのシンボルタイミングを判定し、
前記第１の信号についての前記シンボルタイミングに基づいて、前記第２の信号についてのシンボルタイミングを判定する、無線受信機。
【請求項２５】
無線送信機（30）であって、
所定長の１つ以上の時間インターバルのそれぞれに第１の整数個のシンボルインターバルを有する第１の信号を生成し、前記所定長の前記１つ以上の時間インターバルのそれぞれに第２の整数個のシンボルインターバルを有する第２の信号を生成し、前記第２の整数は前記第１の整数と異なり、周波数帯域において前記第１及び第２の信号が周波数領域多重化され、かつ、前記第１の信号におけるシンボルインターバル開始時間が、時間インターバルごとに少なくとも１回、前記第２の信号における対応するシンボルインターバル開始時間とアラインされるように、前記第１及び第２の信号を合成する、ように構成された処理回路（32）であって、前記第１の信号における各シンボルインターバルは、第１のシンボル期間を含み、前記第１の信号における各シンボルインターバルは、サイクリックプレフィックス期間を更に含み、前記サイクリックプレフィックス期間は、所定のパターンに従ってシンボルインターバルとシンボルインターバルの間で変化し、前記第２の信号における各シンボルインターバルは、前記第１のシンボル期間と異なる第２のシンボル期間を含み、前記第１及び第２の信号は、それぞれ第１及び第２のサブキャリア間隔を有し、前記第１及び第２のサブキャリア間隔は互いに異なる、前記処理回路と、
前記合成された第１及び第２の信号を前記周波数帯域で送信するように構成された無線送受信回路（36）と、
を備える無線送信機。
【請求項２６】
無線受信機（50）であって、
無線周波数信号を周波数帯域で受信するように構成された無線送受信回路（56）と、
前記受信された無線周波数信号から、所定長の１つ以上の時間インターバルのそれぞれに第１の整数個のシンボルインターバルを有する第１の信号と、前記所定長の１つ以上の時間インターバルのそれぞれに第２の整数個のシンボルインターバルを有する第２の信号とを復元するように構成された処理回路（52）と、を備え、前記第２の整数は前記第１の整数と異なり、前記第１の信号における各シンボルインターバルは、第１のシンボル期間を含み、前記第１の信号における各シンボルインターバルは、サイクリックプレフィックス期間を更に含み、前記サイクリックプレフィックス期間は、所定のパターンに従ってシンボルインターバルとシンボルインターバルの間で変化し、前記第２の信号における各シンボルインターバルは、前記第１のシンボル期間と異なる第２のシンボル期間を含み、前記第１及び第２の信号は、それぞれ第１及び第２のサブキャリア間隔を有し、前記第１及び第２のサブキャリア間隔は互いに異なり、
前記第１及び第２の信号は、前記周波数帯域で周波数領域多重化されており、かつ、前記時間インターバルの少なくとも１つで時間的にオーバラップしており、前記第１の信号におけるシンボルインターバル開始時間は、時間インターバルごとに少なくとも１回、前記第２の信号における対応するシンボルインターバル開始時間とアラインされている、無線受信機。
【請求項２７】
無線送信機ノードのプロセッサによる実行用に構成されたプログラム命令であって、請求項１から１０のいずれか１項に記載の方法を前記無線送信機ノードに実行させるように構成された前記プログラム命令を含む、コンピュータプログラム。
【請求項２８】
無線受信機ノードのプロセッサによる実行用に構成されたプログラム命令であって、請求項１１又は１２に記載の方法を前記無線受信機ノードに実行させるように構成された前記プログラム命令を含む、コンピュータプログラム。
【請求項２９】
請求項２７又は２８に記載のコンピュータプログラムを格納したコンピュータ読み取り可能媒体。
【請求項３０】
無線送信機ノード（30）であって、
所定長の１つ以上の時間インターバルのそれぞれに第１の整数個のシンボルインターバルを有する第１の信号を生成するための第１の信号生成モジュール（1402)であって、前記第１の信号における各シンボルインターバルは、第１のシンボル期間を含み、前記第１の信号における各シンボルインターバルは、サイクリックプレフィックス期間を更に含み、前記サイクリックプレフィックス期間は、所定のパターンに従ってシンボルインターバルとシンボルインターバルの間で変化する、前記第１の信号生成モジュールと、
前記所定長の前記１つ以上の時間インターバルのそれぞれに第２の整数個のシンボルインターバルを有する第２の信号を生成するための第２の信号生成モジュール（1404）であって、前記第２の整数は前記第１の整数と異なる、第２の信号生成モジュールであって、前記第２の信号における各シンボルインターバルは、前記第１のシンボル期間と異なる第２のシンボル期間を含み、前記第１及び第２の信号は、それぞれ第１及び第２のサブキャリア間隔を有し、前記第１及び第２のサブキャリア間隔は互いに異なる、前記第２の信号生成モジュールと、
周波数帯域において前記第１及び第２の信号が周波数領域多重化され、かつ、前記第１の信号におけるシンボルインターバル開始時間が、時間インターバルごとに少なくとも１回、前記第２の信号における対応するシンボルインターバル開始時間とアラインされるように、前記周波数帯域で前記第１及び第２の信号を同時に送信するための送信モジュール（1406）と、
を備える無線送信機ノード。
【請求項３１】
無線受信機ノード（50）であって、
無線周波数信号を周波数帯域で受信するように構成された受信モジュール（1502）と、
前記受信した無線周波数信号から、所定長の１つ以上の時間インターバルのそれぞれに第１の整数個のシンボルインターバルを有する第１の信号を復元するための第１の信号復元モジュール（1504）であって、前記第１の信号における各シンボルインターバルは、第１のシンボル期間を含み、前記第１の信号における各シンボルインターバルは、サイクリックプレフィックス期間を更に含み、前記サイクリックプレフィックス期間は、所定のパターンに従ってシンボルインターバルとシンボルインターバルの間で変化する、前記第１の信号復元モジュールと、
前記受信した無線周波数信号から、前記所定長の前記１つ以上の時間インターバルのそれぞれに第２の整数個のシンボルインターバルを有する第２の信号を復元するための第２の信号復元モジュール（1506）と、を備え、前記第２の整数は前記第１の整数と異なり、前記第２の信号における各シンボルインターバルは、前記第１のシンボル期間と異なる第２のシンボル期間を含み、前記第１及び第２の信号は、それぞれ第１及び第２のサブキャリア間隔を有し、前記第１及び第２のサブキャリア間隔は互いに異なり、
前記第１及び第２の信号は、前記周波数帯域で周波数領域多重化されており、かつ、前記時間インターバルの少なくとも１つで時間的にオーバラップしており、前記第１の信号におけるシンボルインターバル開始時間は、時間インターバルごとに少なくとも１回、前記第２の信号における対応するシンボルインターバル開始時間とアラインされている、無線受信機ノード。
【請求項３２】
ユーザ装置（50）であって、
無線周波数信号を周波数帯域で受信するように構成された無線送受信回路（56）と、
前記受信された無線周波数信号から、所定長の１つ以上の時間インターバルのそれぞれに第１の整数個のシンボルインターバルを有する第１の信号と、前記所定長の１つ以上の時間インターバルのそれぞれに第２の整数個のシンボルインターバルを有する第２の信号とを復元するように構成された処理回路（52）と、を備え、前記第２の整数は前記第１の整数と異なり、前記第１の信号における各シンボルインターバルは、第１のシンボル期間を含み、前記第１の信号における各シンボルインターバルは、サイクリックプレフィックス期間を更に含み、前記サイクリックプレフィックス期間は、所定のパターンに従ってシンボルインターバルとシンボルインターバルの間で変化し、前記第２の信号における各シンボルインターバルは、前記第１のシンボル期間と異なる第２のシンボル期間を含み、前記第１及び第２の信号は、それぞれ第１及び第２のサブキャリア間隔を有し、前記第１及び第２のサブキャリア間隔は互いに異なり、
前記第１及び第２の信号は、前記周波数帯域で周波数領域多重化されており、かつ、前記時間インターバルの少なくとも１つで時間的にオーバラップしており、前記第１の信号におけるシンボルインターバル開始時間は、時間インターバルごとに少なくとも１回、前記第２の信号における対応するシンボルインターバル開始時間とアラインされている、ユーザ装置。
【請求項３３】
ネットワークアクセスノード（30）であって、
所定長の１つ以上の時間インターバルのそれぞれに第１の整数個のシンボルインターバルを有する第１の信号を生成し、前記所定長の前記１つ以上の時間インターバルのそれぞれに第２の整数個のシンボルインターバルを有する第２の信号を生成し、前記第２の整数は前記第１の整数と異なり、周波数帯域において前記第１及び第２の信号が周波数領域多重化され、かつ、前記第１の信号におけるシンボルインターバル開始時間が、時間インターバルごとに少なくとも１回、前記第２の信号における対応するシンボルインターバル開始時間とアラインされるように、前記第１及び第２の信号を合成する、ように構成された処理回路（32）であって、前記第１の信号における各シンボルインターバルは、第１のシンボル期間を含み、前記第１の信号における各シンボルインターバルは、サイクリックプレフィックス期間を更に含み、前記サイクリックプレフィックス期間は、所定のパターンに従ってシンボルインターバルとシンボルインターバルの間で変化し、前記第２の信号における各シンボルインターバルは、前記第１のシンボル期間と異なる第２のシンボル期間を含み、前記第１及び第２の信号は、それぞれ第１及び第２のサブキャリア間隔を有し、前記第１及び第２のサブキャリア間隔は互いに異なる、前記処理回路と、
前記合成された第１及び第２の信号を前記周波数帯域で送信するように構成された無線送受信回路（36）と、
を備えるネットワークアクセスノード。
【請求項３４】
ユーザ装置における方法であって、前記方法は、
周波数帯域で無線周波数信号を受信すること（1210）と、
前記受信した無線周波数信号から、所定長の１つ以上の時間インターバルのそれぞれに第１の整数個のシンボルインターバルを有する第１の信号を復元すること（1220）であって、前記第１の信号における各シンボルインターバルは、第１のシンボル期間を含み、前記第１の信号における各シンボルインターバルは、サイクリックプレフィックス期間を更に含み、前記サイクリックプレフィックス期間は、所定のパターンに従ってシンボルインターバルとシンボルインターバルの間で変化する、前記第１の信号を復元することと、を含み、
前記受信した無線周波数信号は、前記所定長の前記１つ以上の時間インターバルのそれぞれに第２の整数個のシンボルインターバルを有する第２の信号を更に含み、前記第２の整数は前記第１の整数と異なり、前記第２の信号における各シンボルインターバルは、前記第１のシンボル期間と異なる第２のシンボル期間を含み、前記第１及び第２の信号は、それぞれ第１及び第２のサブキャリア間隔を有し、前記第１及び第２のサブキャリア間隔は互いに異なり、
前記第１及び第２の信号は、前記周波数帯域で周波数領域多重化されており、かつ、前記時間インターバルの少なくとも１つで時間的にオーバラップしており、前記第１の信号におけるシンボルインターバル開始時間は、時間インターバルごとに少なくとも１回、前記第２の信号における対応するシンボルインターバル開始時間とアラインされている、方法。
【請求項３５】
ユーザ装置（50）であって、
周波数帯域で無線周波数信号を受信し、
前記受信した無線周波数信号から、所定長の１つ以上の時間インターバルのそれぞれに第１の整数個のシンボルインターバルを有する第１の信号を復元するように構成されており、前記第１の信号における各シンボルインターバルは、第１のシンボル期間を含み、前記第１の信号における各シンボルインターバルは、サイクリックプレフィックス期間を更に含み、前記サイクリックプレフィックス期間は、所定のパターンに従ってシンボルインターバルとシンボルインターバルの間で変化し、
前記受信した無線周波数信号は、前記所定長の前記１つ以上の時間インターバルのそれぞれに第２の整数個のシンボルインターバルを有する第２の信号を更に含み、前記第２の整数は前記第１の整数と異なり、前記第２の信号における各シンボルインターバルは、前記第１のシンボル期間と異なる第２のシンボル期間を含み、前記第１及び第２の信号は、それぞれ第１及び第２のサブキャリア間隔を有し、前記第１及び第２のサブキャリア間隔は互いに異なり、前記第１及び第２の信号は、前記周波数帯域で周波数領域多重化されており、かつ、前記時間インターバルの少なくとも１つで時間的にオーバラップしており、前記第１の信号におけるシンボルインターバル開始時間は、時間インターバルごとに少なくとも１回、前記第２の信号における対応するシンボルインターバル開始時間とアラインされている、ユーザ装置。
【請求項３６】
ユーザ装置（50）であって、
無線周波数信号を周波数帯域で受信するように構成された無線送受信回路（56）と、
前記受信した無線周波数信号から、所定長の１つ以上の時間インターバルのそれぞれに第１の整数個のシンボルインターバルを有する第１の信号を復元するように構成された処理回路（52）と、を備え、前記第１の信号における各シンボルインターバルは、第１のシンボル期間を含み、前記第１の信号における各シンボルインターバルは、サイクリックプレフィックス期間を更に含み、前記サイクリックプレフィックス期間は、所定のパターンに従ってシンボルインターバルとシンボルインターバルの間で変化し、
前記受信した無線周波数信号は、前記所定長の前記１つ以上の時間インターバルのそれぞれに第２の整数個のシンボルインターバルを有する第２の信号を更に含み、前記第２の整数は前記第１の整数と異なり、前記第２の信号における各シンボルインターバルは、前記第１のシンボル期間と異なる第２のシンボル期間を含み、前記第１及び第２の信号は、それぞれ第１及び第２のサブキャリア間隔を有し、前記第１及び第２のサブキャリア間隔は互いに異なり、前記第１及び第２の信号は、前記周波数帯域で周波数領域多重化されており、かつ、前記時間インターバルの少なくとも１つで時間的にオーバラップしており、前記第１の信号におけるシンボルインターバル開始時間は、時間インターバルごとに少なくとも１回、前記第２の信号における対応するシンボルインターバル開始時間とアラインされている、ユーザ装置。
【発明の詳細な説明】
【技術分野】
【０００１】
本発明は、全体として、無線通信ネットワークに関し、具体的には、マルチモード・マルチキャリア構成に関する。
【背景技術】
【０００２】
第３世代パートナシップ・プロジェクト（３ＧＰＰ）によって開発された、いわゆるロング・ターム・エボリューション（ＬＴＥ）無線通信ネットワークは、下りリンクでは、直交周波数分割多重（ＯＦＤＭ）を使用し、上りリンクでは、（シングルキャリア周波数分割多元接続又はＦＤＭＡとも称される）離散フーリエ変換拡散（ＤＦＴ拡散）ＯＦＤＭを使用する。このため、基本的なＬＴＥ下りリンク物理リソースは、図１に図示されるような時間‐周波数グリッドとして見え、各リソースエレメントは、１ＯＦＤＭシンボルインターバルの期間中の１ＯＦＤＭサブキャリアに相当する。上りリンク・サブフレームは、下りリンクと同一のキャリア間隔を有し、当該サブキャリア間隔は、１つのサブキャリアの中心と、直接隣接するサブキャリアの中心との間の周波数の差分である。上りリンク・サブフレームは、時間領域において下りリンクのＯＦＤＭシンボルと同じ数のシングルキャリアＦＤＭＡ（ＳＣ−ＦＤＭＡ）シンボルを有し、即ち、シンボル期間は、ＯＦＤＭ下りリンクとＳＣ−ＦＤＭＡ上りリンクとで同一である。
【０００３】
時間領域において、ＬＴＥ下りリンク送信は１０ミリ秒の無線フレームで構成され、各無線フレームは、図２に示されるように、長さＴsubframe＝１ミリ秒の１０個の同じサイズのサブフレームから成る。通常のサイクリックプレフィックスの場合、１個のサブフレームは、１４個のＯＦＤＭシンボルから成る。各シンボルの期間、即ち、シンボルインターバルは、約７１．４マイクロ秒（μｓ）である。
【０００４】
更に、ＬＴＥにおけるリソース割り当ては、典型的にはリソースブック単位で記述され、リソースブロックは、時間領域における１スロット（０．５ミリ秒）、及び周波数領域における１２個の連続するサブキャリアに相当する。時間的に隣接する２つのリソースブロックのペア（１．０ミリ秒）は、リソースブロックペアとして知られている。リソースブロックは、周波数領域において、システム帯域幅の一端から０で始まる番号が付される。
【０００５】
各サブフレームにおいて、基地局が、いずれの端末のデータが送信されるかに関し、かつ、いずれのリソースブロックによりデータが送信されるかに関する制御情報を、現在の下りリンク・サブフレームで送信する点で、下りリンク送信が動的にスケジューリングされる。この制御シグナリングは、典型的には、各サブフレームにおいて最初の１、２、３又は４つのＯＦＤＭシンボルで送信される。この番号ｎ＝１、２、３又は４は、制御フォーマットインジケータ（ＣＦＩ：Control Format Indicator）として知られており、各下りリンク・サブフレームの最初のＯＦＤＭシンボルインターバル内で基地局によってブロードキャストされる。下りリンク・サブフレームは、受信機に既知であり、かつ、制御情報の同期復調に使用される共通の参照シンボルも含む。図３には、ＣＦＩ＝３ＯＦＤＭシンボルを有する下りリンク・システムが図示されている。
【０００６】
図３に示される参照シンボルは、セル固有参照シンボル（ＣＲＳ：cell specific reference symbols）であり、精密な時間及び周波数同期と特定の送信モードのためのチャネル推定とを含む、多数の機能をサポートするために使用される。
【０００７】
ＬＴＥネットワークの発展及び展開が、大幅に増加した無線データレートをユーザに提供し、かつ、幅広いモバイルブロードバンド（ＭＢＢ：mobile broadband）サービスの発展を可能にしてきたが、こうしたサービスの需要は拡大し続けている。帯域幅及び性能の改善に対するこのような需要の増加に加えて、マシン・ツー・マシン（Ｍ２Ｍ）デバイスとのような特殊用途の新たなアプリケーションが開発され続けている。こういった市場動向は、モバイルデータアプリケーションについての様々なサービス要求条件に更に適合するために、柔軟性が改善した無線通信技術が必要とされることを示している。
【発明の概要】
【０００８】
ＯＦＤＭベースの無線アクセス方式では、狭いサブキャリアと相対的に広いサブキャリアとは、異なるタイプのサービスに有利である。現在のＬＴＥ標準規格は、固定のサブキャリア間隔を使用しており、それ故に、大きく変化するサービス品質（ＱｏＳ）要求条件を満たすことに関して、比較的柔軟性がない。これは、特に、タイム・クリティカルなサービスに関して事実である。以下で詳細が開示される新たな物理層設計は、混合モードオペレーションで、より小さなサイズで、かつ、可変サイズのサブキャリアを使用する。また、異なるアプリケーションの要求条件に柔軟に対応するように、この新たな物理層に対して定められるスケーラビリティを利用するための方法及び装置を開示する。
【０００９】
本明細書に記載の技術の一態様において、無線送信機は、所定長の１つ以上の時間インターバルのそれぞれに第１の整数個のシンボルインターバルを有する第１の信号を生成し、所定長の１つ以上の時間インターバルのそれぞれに、第２の整数個のシンボルインターバルを有する第２の信号を生成し、第２の整数は第１の整数と異なる。無線送信機は、周波数帯域において第１及び第２の信号が周波数領域多重化され、かつ、第１の信号におけるシンボルインターバル開始時間が、時間インターバルごとに少なくとも一回、第２の信号における対応するシンボルインターバル開始時間とアラインされるように、当該周波数帯域で第１及び第２の信号を同時に送信する。
【００１０】
本明細書に記載の技術の他の態様において、無線受信機は、無線周波数信号を周波数帯域で受信し、受信した無線周波数信号から、所定長の１つ以上の時間インターバルのそれぞれに第１の整数個のシンボルインターバルを有する第１の信号を復元する。無線受信機は更に、受信した無線周波数信号から、所定長の前記１つ以上の時間インターバルのそれぞれに第２の整数個のシンボルインターバルを有する第２の信号を復元し、第２の整数は前記第１の整数と異なる。第１及び第２の信号は、周波数帯域で周波数領域多重化されており、かつ、時間インターバルの少なくとも１つで時間的にオーバラップしており、第１の信号におけるシンボルインターバル開始時間は、時間インターバルごとに少なくとも１回、第２の信号における対応するシンボルインターバル開始時間とアラインされている。
【００１１】
本明細書では上述の態様に対応する種々の方法及び装置について詳述し、それらの態様の追加の詳細及び改良についても同様である。当然ながら、本発明は、上記の特徴及び効果に限定されない。当業者は、以下の詳細な説明を読み、添付の図面を見ることで、更なる特徴及び効果を理解しよう。
【図面の簡単な説明】
【００１２】
【図１】図１は、いくつかの実施形態に係る、ＬＴＥ下りリンク物理リソースを図示する図を示す。
【図２】図２は、いくつかの実施形態に係る、ＬＴＥ時間領域構成の図を示す。
【図３】図３は、いくつかの実施形態に係る、下りリンク・サブフレームの図を示す。
【図４】図４は、いくつかの実施形態に係る、マルチモード構成を示す。
【図５】図５は、いくつかの実施形態に係る、ネットワークアクセスノードの図を示す。
【図６】図６は、いくつかの実施形態で使用されうるＯＦＤＭ変調方式のブロック図を示す。
【図７】図７は、いくつかの実施形態で使用されうるＯＦＤＭ復調方式のブロック図を示す。
【図８】図８は、いくつかの実施形態で使用されうるＤＦＴＳ−ＯＦＤＭ変調方式のブロック図を示す。
【図９】図９は、いくつかの実施形態で使用されうるＤＦＴＳ−ＯＦＤＭ復調方式のブロック図を示す。
【図１０】図１０は、いくつかの実施形態に係る、各時間インターバルにおける複数のＩＦＦＴ変調方式を使用した信号生成を示す。
【図１１】図１１は、いくつかの実施形態に係る、マルチキャリア変調のための送信機ノードにおける方法を示す。
【図１２】図１２は、いくつかの実施形態に係る、マルチキャリア復調のための受信機ノードにおける方法を示す。
【図１３】図１３は、いくつかの実施形態に係る、ユーザ装置のブロック図を示す。
【図１４】図１４は、いくつかの実施形態に係る、送信機として動作するノードの機能実装を示す。
【図１５】図１５は、いくつかの実施形態に係る、受信機として動作するノードの機能実装を示す。
【発明を実施するための形態】
【００１３】
近年、無線デバイスの数及びアプリケーションが急増しており、この傾向は今後も続く可能性が高い。このような増加は、「５Ｇ」（第５世代）無線技術とされうる新たな無線アクセス技術（ＲＡＴ：radio access technology）の必要性を示唆する。５Ｇのための現在の計画の重要な目標の１つは、ネットワークによって提供されるサービスをモバイルブロードバンド（ＭＢＢ）を超えて拡大することである。新たなユースケースは新たな要求条件を伴いうる。それに加えて、５Ｇは、非常に広い周波数範囲をサポートすることも必要であるとともに、展開オプションに関して非常に柔軟性を有することも必要である。
【００１４】
大きく変化するアプリケーション・ニーズ（即ち、サービス品質（ＱｏＳ）パラメータ及び展開シナリオ）を有する新たなアプリケーションの出現により、単一の柔軟性のない物理層技術は、所望の性能特性を達成するためには適切ではない。具体的には、例えば、いくつかのサービスは、遅延を低減するために、ＬＴＥの現在の仕様に準拠したシステムによって提供されるＴＴＩと比べて、より短い送信時間間隔（ＴＴＩ）を必要とすることは明らかである。ＯＦＤＭシステムでは、サブキャリア間隔を変えることによって、より短いＴＴＩが実現されうる。しかし、他のサービスは、より緩和された同期要件又は遅延スプレッドに対する非常に高いロバスト性のサポートを必要とし、これは、サイクリックプレフィックスで動作するシステムにおいてサイクリックプリフィックスを伸ばすことによって行われうる。これらは可能性のある要求条件の例にすぎない。
【００１５】
しかし、サブキャリア間隔及びサイクリックプレフィックスのようなＯＦＤＭパラメータを選択することは、競合する目標の間のトレードオフであることは明らかである。これは、次世代又は「５Ｇ」無線アクセス技術が、通称「ヌメロロジー（numerologies）」という、伝送パラメータのいくつかの変形に対して柔軟なサポートを提供する必要があることを示唆する。このような伝送パラメータは、シンボル期間、即ち、ＯＦＤＭシンボルにおける、及び他の様々なマルチキャリア変調システムにおけるサブキャリア間隔に直接的に関係する、ＯＦＤＭシンボルインターバルの長さ、でありうる。これらの多数のヌメロロジーによって柔軟に規定されうる他の伝送パラメータは、サイクリックプレフィックス期間、即ち、サイクリックプレフィックスに割り当てられる、ＯＦＤＭシンボルインターバルの一部の長さ、でありうる。
【００１６】
更に、同じ帯域で様々なサービスを同時にサポートできることが有益である。これにより、異なるサービス間での、帯域幅のようなリソースの動的な割り当てが可能になるとともに、効率的な実装及び展開が可能になる。この結果、同じ帯域での多数のヌメロロジーの同時使用の必要性につながる。なお、「帯域（band）」との用語は、ここでは、無線アクセスネットワークによって使用されるキャリア又は周波数が隣接したキャリアを意味する。これは、本明細書で説明する詳細な技術の出発点である。
【００１７】
これに関連して、将来世代のセルラネットワークのための非常に柔軟な物理層が、現在設計されている。これは、新たな物理層設計が、遅延、信頼性及びスループットを含む、広範囲の可変のＱｏＳ要求条件を満たすことを対象としている。この新しい物理層設計では、可変の要求条件に対する物理層のスケーラビリティを、異なる複数のサブキャリア間隔を使用して達成することが提案されている。他の特徴は、異なる複数のサブキャリア間隔が同じ周波数帯域内で同時に共存することを可能にする混合モード動作をサポートする必要があることである。
【００１８】
混合モード動作の、本明細書でその用語が使用されるとおりの本質は、以下のとおりである。送信ノードにおいて、２つ以上のマルチキャリア信号が生成され、各マルチキャリア信号は、１つ以上のシンボルを有するが、当該マルチキャリア信号は、サブキャリア間隔、及び／又はシンボル期間、及び／又はサイクリックプレフィックス長に関して異なるパラメータを有する。具体的には、２つの信号についてのシンボル期間（及び当該信号についての他のパラメータ）は、当該２つの信号についてのシンボル期間が異なりうるとしても、シンボル境界が周期的にアラインするように選択される。いくつかの実施形態において、１ミリ秒の周期でアライメントが達成され、これにより、同じ周波数帯域において、ＬＴＥ信号を、異なるサブキャリア間隔及び／又はシンボル期間を有する１つ以上の他のマルチキャリア信号と合成できるように、既存のＬＴＥ技術との相性の良さが提供される。
【００１９】
このため、（広く「５Ｇ」ネットワークと称される）将来のネットワークでは、マルチモード・マルチキャリア構成は、異なるアプリケーションおよびサービスの可変のＱｏＳ要求条件を満たすことが想定される。このアプローチは、異なるサブキャリア間隔（又はそれに対応して、異なるＯＦＤＭシンボルサイズ）をサポートするであろう。当該サブキャリア間隔は、異なるＯＦＤＭ構成の相互運用性を促進するために異なるＯＦＤＭシンボル長が共に非常に良好に調和するように定義されうる。サブキャリア間隔、ＯＦＤＭシンボル期間、及びサイクリックプレフィックスの各組み合わせは、「ヌメロロジー（numerology）」と称されうる。
【００２０】
帯域のうちの異なる部分の同時使用において様々なヌメロロジー、即ち、様々なサブキャリア間隔及び／又はＯＦＤＭシンボルサイズ、を有することに関する１つの問題は、特定の「システム機能」が、当該帯域のうちの当該異なる部分に対して影響を与えることである。１つのそのようなシステム機能は、デュプレクス方向の切り替えであり、これは、帯域の全ての部分に適用される必要があり、それ故に、使用中の全てのヌメロロジーと互換性が存在しなければならない。第２のシステム機能は、無線リソース管理（ＲＲＭ：Radio Resource Management）であり、リソース共有の利得を十分に得るために、ＲＲＭは、帯域の全ての部分に作用する必要がある。第３のシステム機能は、受信機の時間アライメントである。
【００２１】
これらのシステム機能は、帯域間で同期した動作を必要とする。しかし、そのような動作が、帯域のうちの全ての影響を受ける部分のシンボル境界にアラインされていない場合、性能低下も生じるであろう。
【００２２】
このため、本明細書で詳述する技術及び装置は、異なるヌメロロジーを有する多数のマルチキャリア信号を同時に送信するように設計されたシステムに対応する。多数の信号は、周波数領域多重化される。各信号は、１つ以上のシンボル（例えばＯＦＤＭシンボル）と、更には他の送信（例えばサイクリックプレフィックス）とから成るシーケンスである。説明する技術により、シンボルの開始時間及び終了時間（シンボル境界）の周期的なアライメントが可能になる。これは、発明に係る２つ以上の信号のヌメロロジーを選択することによって実現される。周期的なアライメントが生じる時刻は、デュプレクス方向を変更する、又は他の「システム機能」動作を実行する可能性があるポイントである。
【００２３】
本明細書で提供される具体例のいくつかが、基本のマルチキャリア変調方式としてＯＦＤＭの使用に基づくとしても、本技術は、シングルキャリア周波数分割多元接続（ＳＣ−ＦＤＭＡ）としても知られている離散フーリエ変換拡散ＯＦＤＭ（ＤＦＴＳ−ＯＦＤＭ）のような、信号の一部又は全てがプリコーデッドＯＦＤＭ送信である場合にも、同じように十分に適合する。本明細書使用される「マルチキャリア変調」との用語は、これらの方式のいずれかを指すだけでなく、データをいくつかのコンポーネントに分割して、それらのコンポーネントを周波数帯域内で個別のキャリア信号で送信することによってデータを送信する、他のマルチキャリア変調方式も指すことが、理解されよう。（これらの個別のキャリア信号は、一般に「サブキャリア」と称される。）このため、本明細書における異なるマルチキャリア変調方式への言及は、基本的な変調技術の違い、又はマルチキャリア変調パラメータ（例えば、シンボル期間及び／又はサブキャリア間隔）の違い、又はその両方のことを指すことがある。
【００２４】
本明細書に記載の技術は、上述の理由により、例えば、シンボル長、サブキャリア間隔等に関して異なるマルチキャリア変調パラメータ（ヌメロロジー）を有する、多数のマルチキャリア信号を同時に送信するよう構成されたシステムに関連する。各信号は、シンボル（例えばＯＦＤＭシンボル）及びガード期間（例えばサイクリックプレフィックス又は０から成るガード期間）の系列で構成される。
【００２５】
説明を簡単にするために、以下の議論では、信号＿１及び信号＿２に言及する。説明する技術のＮ＞２の信号への拡張は、直接的な方法で行われうることは容易に理解されるべきである。
【００２６】
カテゴリ１技術‐固定サイクリックプレフィックス期間
信号＿ｎのシンボルのそれぞれの期間をＴｓｙｍｂ＿ｎとし、信号＿ｎのサイクリックプレフィックスの期間をＴｃｐ＿ｎとする。開示する技術のいくつかの実施形態によれば、複数の信号のうちの少なくとも２つについて、シンボル期間及びサイクリックプレフィックス期間が以下のように選択される：
Ｘ(Ｔｃｐ＿１＋Ｔｓｙｍｂ＿１)＝Ｙ(Ｔｃｐ＿２＋Ｔｓｙｍｂ＿２)＝Ｔ
ここで、Ｘ及びＹは整数である。一般的に、Ｘ及びＹは、Ｔが十分短くなるように選択され、例えば、時分割複信（ＴＤＤ）スイッチングのために妥当なインターバルを提供するように、又は、参照信号若しくは同期信号の送信のために都合の良い周期性を提供するように選択される。
【００２７】
上記は以下のようにも表されうる：信号＿１及び信号＿２のパラメータは、２つの辛抱のそれぞれの整数個のシンボル（及びいくつかの実施形態ではガードインターバル）が、所与の時間インターバルに適合するように選択される。これにより、２つの信号のシンボルの境界間に周期的アライメントが生成される。
【００２８】
例１：いくつかの実施形態において、Ｔは１／Ｚと表され、Ｚは整数である。これにより、ＬＴＥとの都合の良い共存が可能になる。
【００２９】
例２：シンボル期間が、（ｆｓ＝９／８＊３０．７２ＭＨｚ）となるように選択されうる。
【００３０】
以下の表１は、所与のサンプリング周波数ｆｓについてのｎ＝１...１１のヌメロロジーのセットの例における各要素についてのシンボル期間及びサイクリックプレフィックス長をリストしている。これらのヌメロロジーの全て又はサブセットは、これらのヌメロロジーのいずれか２つ以上が同時に適用されうるように、ここで開示している技術に従って動作するシステムにおいて使用されてよく、同時に適用される変調方式が、２つの被変調信号のシンボルの境界間で周期的アライメントを有するようにアラインされる。
【００３１】
0006691555.tif 000002
【００３２】
例３‐十分に低いＴは、Ｔが最短の時間であり、端末が単一のデュプレクス方向に送信することを意味しうる。Ｔは、いずれかの信号における特定の系列（例えば、参照信号の系列、又は同期若しくはビーム検出を対象とした系列）の送信の周期でもありうる。
【００３３】
カテゴリ２技術‐可変のサイクリックプレフィックス長によるアライメント
このカテゴリの一般的な技術は、カテゴリ１技術の一般化とみなされうることに留意すべきである。信号ｎのシンボルｍのサイクリックプレフィックスの期間をＴｃｐ＿ｎ(ｍ)とする。いくつかの実施形態によれば、当該カテゴリ２の技術に従って、信号１及び２のシンボル及びサイクリックプレフィックス期間は、以下のように選択される：
0006691555.tif 000003
ここで、Ｋ、Ｌは任意の整数である。Ｋ及びＬは０であってもよい。
【００３４】
例４‐可変のサイクリックプレフィックス。表２は、インターバルＴ内に含まれる７つのシンボルについてのサイクリックプレフィックスのセットの例を示している。この例では、シンボル期間は、７つのシンボル間で、２０４８サンプル時間（１／ｆｓ）で一定である。サイクリックプレフィックスは、所与のインターバルＴ内の最初の４つのシンボルが、４２４シンボル長のサイクリックプレフィックスを有し、それに続く３つのシンボルが、４１６シンボル長のサイクリックプレフィックスを有するように、所定のパターンに従って変化する。この例では、Ｔ＝２０４８＊７＋４２４＊４＋４１６＊３＝１７２８０／ｆｓ である。例えば、３０．５２ＭＨｚのサンプルクロックを仮定すると、Ｔ＝５６２．５マイクロ秒である。
【００３５】
0006691555.tif 000004
【００３６】
シンボルアライメントの周期にアラインしたデュプレクス方向の切り替え
いくつかの実施形態において、ネットワークノードは、デュプレクス方向の切り替え（即ち、第１の方向の送信／受信と第２の方向の送信／受信との間の送信）が、Ｔによって定められる時刻に生じるように構成され、ここで、適用されるマルチキャリア変調ヌメロロジーは、被変調信号内の複数シンボルがＴのインターバルにアラインするように、シンボルタイミングを有する。切り替えがＴ０で生じると仮定すると、その後の切り替えは、Ｚを整数として、Ｔ０＋ＺＴでのみ生じうる。
【００３７】
信号＿１及び信号＿２の生成及び多重化
ＯＦＤＭ又は関連するマルチキャリア変調技術はが使用される場合、２つの信号、信号＿１及び信号＿２は、逆高速フーリエ変換（ＩＦＦＴ）、又は多少それより一般的には、逆離散フーリエ変換（ＩＤＦＴ）を用いて生成されうる。信号＿２の帯域幅と一致するように、信号＿１のＩＦＦＴに先立って信号に０が挿入される。信号＿１の帯域幅と一致するように、信号＿２のＩＦＦＴに先立って信号に０が挿入される。信号＿１は、ＩＦＦＴ及びフィルタを通過し、信号＿２も、ＩＦＦＴ及びフィルタを通過する。その後、信号が重ね合わせられる（加算される）。以下で詳しく述べられる図１０は、２つのマルチキャリア変調方式を必要とする信号生成手順の例を示しており、第１のマルチキャリア変調方式は、１６．８７５ｋＨｚのサブキャリア間隔を有し、第２のマルチキャリア変調方式は、その４倍のサブキャリア間隔、即ち、６７．５ｋＨｚのサブキャリア間隔を有する。
【００３８】
同図に見られるように、第２の変調方式は、第１の変調方式のシンボル期間の４分の１のシンボル期間を有し、４シンボルごとにシンボルがアラインされている。
【００３９】
実装を容易にするために、場合によっては、異なる信号間にガードバンドを加えることが有利でありうる。その場合、サブキャリア群が信号エネルギーを運ばないように、信号間に付加的な０を挿入することによって、帯域幅の一部が犠牲にされる。これにより、送信機と受信機との両方において信号を分離するために使用されるフィルタの要求条件が緩和される。図１０の例では、１１９個の狭サブキャリア又は約２ＭＨｚのガードバンドが存在する。
【００４０】
信号＿１及び信号＿２の重ね合わせの異なる可能性
図１０に示す例では、２つ被変調信号が時間領域で重ね合わせられ、アナログ領域への信号の変換及び合成信号のアップコンバージョンの詳細は省略されているが、それらは、例えばＯＦＤＭ送信機の設計に詳しい者には周知である。信号の重ね合わせは、ベースバンド信号を用いてデジタル領域で、又は中間周波数で、又は電力増幅器の前段若しくは後段のアナログ領域で、又は空中で（即ち、２つの（又はより多くの）信号を異なるアンテナから送信することによって）、行われうることが理解されよう。
【００４１】
信号＿１と信号＿２との間の既知の関係を使用して同期を得る受信機
２つの（又はより多くの）信号のシンボルは定期的にアラインされるため、一方の信号用のタイミング情報を、他方の信号用のタイミングパラメータを導き出すために使用することが可能である。例えば、いくつかの実施形態において、信号＿２は、受信機が信号＿２のシンボルタイミングの判定に使用しうる参照信号及び／又は同期信号を含みうる。このため、受信機は、信号＿２のシンボル境界に基づいて、信号＿１のシンボル境界のタイミングを導き出しうる。より具体的には、信号＿１のシンボルは信号＿２のシンボルと周期的にアラインされるため、信号＿２のシンボル境界から信号＿１のシンボル境界を導き出すことが可能である。
【００４２】
同一ベースバンド上のＬＴＥ及び新たなマルチキャリア信号
いくつかの実施形態において、複数の信号のうちの１つ（例えば、信号＿１）は、ＬＴＥ仕様に従ったヌメロロジーを有する、ＬＴＥキャリアであってもよい。信号＿２は、これまでに言及したヌメロロジーのいずれかを用いて生成される、異なるマルチキャリア信号であってもよい。その場合、Ｔは、Ｚを整数として、好ましくは１マイクロ秒又は１／Ｚミリ秒となるであろう。
【００４３】
図４は、これまでに開示した技術の非限定的な例として、マルチモード構成の２つケースを示す。ここで、マイクロサブフレーム（micro-subframe）が定義され、各マイクロサブフレームは、少数のＯＦＤＭシンボルと同等でありうる。一例として、図４の１マイクロサブフレーム４１０は、４つの「長い」ＯＦＤＭシンボル４１２，４１４，４１６及び４１８で構成されるように示されており、これらのシンボルのそれぞれはサイクリックプレフィックスを含む。新たなヌメロロジーにより、異なるサブキャリア間隔及び／又は異なるシンボル長によって特徴付けられる、異なるマルチキャリア変調モードの相互運用性がもたらされる。図４に示す例では、狭いサブキャリア間隔と、それに対応して長いＯＦＤＭシンボル４１２，４１４，４１６及び４１８とを有する１つのマイクロサブフレーム４１０は、広いサブキャリア間隔と、それに対応して短いＯＦＤＭシンボル４２２，４２４，４２６等とを有する４つのマイクロサブフレーム４２０と等しい。このように、より長いマイクロサブフレームごとに１回、シンボルがアラインされる。
【００４４】
図４は、例をし２つのマルチキャリア変調モードが使用される例を示しているが、２つを上回る数のモードが混合モードＯＦＤＭ構成においてサポートされてもよいことに留意すべきである。ＯＦＤＭ変調器及び復調器の詳細に詳しい者には、モード選択（即ち、所与のマルチキャリア変調モードについてのＯＦＤＭシンボル長及びサブキャリア間隔の選択）が、所与のサンプリングレートと一緒に、信号の変復調に使用されるｉＦＦＴ／ＦＦＴサイズを適切に選択することによって、実現されうることが理解されよう。ＬＴＥでは、サブキャリア間隔が１５ｋＨｚに固定されており、シンボル期間は、７つのシンボル（「通常の」サイクリックプレフィックス）又は６つのシンボル（拡張されたサイクリックプレフィックス）が５００マイクロ秒のスロット内に適合するように、設定される。この新たな物理レイヤに対して予定されたアプローチでは、ＬＴＥで使用されるＯＦＤＭ変調（と同一ではない場合）のようなマルチキャリア変調モードが、例えば、より広いサブキャリア間隔及びより短いシンボル長を有する１つ以上の他のマルチキャリア変調モードと同時に、周波数帯域で使用されうる。
【００４５】
既存のＬＴＥ標準規格の問題の１つは、固定の大きなサイズのサブフレーム構成を使用することであり、クリティカル・マシンタイプ通信（Ｃ−ＭＴＣ：critical machine-type communication）のシナリオにおいてよくある、非常に小さなサイズのデータについてリソースの無駄につながる。更に、比較的粗い時間粒度に起因して、ＬＴＥのリソースブロックは、Ｃ−ＭＴＣアプリケーションの非常に低遅延の要求条件を簡単には満たさない。既存のＬＴＥ標準規格の第２の問題は、異なる全てのサービスが同じサブフレーム構成を使用しなければならないことであり、Ｃ−ＭＴＣアプリケーション用の新たな時間重視のデータサービスをサポートするために、異なるユーザ間でサブフレームを分割することはできない。
【００４６】
これらの問題の両方は、本明細書で詳述するマルチモード技術によって対処される。Ｃ−ＭＴＣアプリケーションは、例えばＬＴＥで使用されるものと比べて、例えば、比較的広いサブキャリア間隔及び比較的短いＯＦＤＭシンボル長を有するマルチキャリア変調モードを用いてサービスされうる。これにより、図４に示すマイクロサブフレーム４２０のような、比較的短いマイクロサブフレームを使用するこれらのアプリケーションとの通信が容易になる。それと同時に、モバイルブロードバンド（ＭＢＢ）アプリケーションが、比較的狭いサブキャリア間隔及び比較的長いＯＦＤＭシンボル長を有する個別のマルチキャリア変調モードでサービスされうる。
【００４７】
直交周波数分割多重（ＯＦＤＭ）はマルチキャリア変調技術の一例にすぎないことが理解されるべきである。他の例は、離散フーリエ変換拡散（ＤＦＴ拡散又はＤＦＴＳ−）ＯＦＤＭを含み、これは、シングルキャリア周波数分割多元接続（ＳＣ−ＦＤＭＡ）又はプリコーデッドＯＦＤＭとも称される。更に他の例は、フィルタバンク・マルチキャリア（ＦＢＭＣ：filter-bank multicarrier）変調、プリコーデッドＦＢＭＣ、及び一般化周波数分割多重（ＧＦＤＭ：Generalized Frequency-Division Multiplexing）を含む。これらの技術に詳しい者には、それらの技術ごとにデジタル信号処理が変化することが理解されるであろうが、これらのマルチキャリア変調技術の任意の１つ以上が、本明細書で詳述するマルチモード方式で採用されてよく、それにより、本明細書ではＯＦＤＭに関して実施形態の例を説明しており、説明する技術及び装置が、ＯＦＤＭに加えて又はＯＦＤＭに代えて１つ以上の他のマルチキャリア変調技術を採用してよいことがが、理解されるべきである。
【００４８】
図５は、いくつかの実施形態に係る、基地局のようなネットワークアクセスノード３０の図を示す。ネットワークノード３０は、無線デバイスとコアネットワークとの通信を促進する。ネットワークアクセスノード３０は、データ及びセルラ通信サービスを目的として、コアネットワーク内の他のノード、無線ノード、及び／又はネットワーク内の他のタイプのノードと通信するための回路を含む通信インタフェース回路３８を含む。ネットワークアクセスノード３０は、アンテナ３４及び送受信回路３６を介して無線デバイスと通信する。送受信回路３６は、セルラ通信サービスの提供を目的として、無線アクセス技術に従って信号を送信及び受信するようまとめて構成された、送信回路、受信回路、及び関連する制御回路を含みうる。
【００４９】
ネットワークアクセスノード３０は、通信インタフェース回路３８又は送受信回路３６と動作可能に結合した、１つ以上の処理回路３２を更に含む。ネットワークアクセスノード３０は、通信インタフェース回路３８を使用してネットワークノードと通信するとともに、送受信機３６を使用してユーザ装置と通信する。議論を容易にするために、１つ以上の処理回路３２を、以下では「処理回路３２」と称する。処理回路３２は、１つ以上のデジタルプロセッサ４２（例えば、１つ以上のマイクロプロセッサ、マイクロコントローラ、デジタル・シグナル・プロセッサ（ＤＳＰ）、フィールド・プログラマブル・ゲート・アレイ（ＦＰＧＡ）、コンプレックス・プログラマブル・ロジック・デバイス（ＣＰＬＤ）、特定用途向け集積回路（ＡＳＩＣ）、又はそれらの任意の組み合わせ）を含む。より一般的には、処理回路３２は、不変の回路、若しくは、本明細書で教示される機能を実現するプログラム命令の実行により構成されるプログラマブル回路を含みうるか、又は、不変の回路及びプログラムされた回路の何らかの組み合わせを含みうる。プロセッサ４２は、マルチコアであってもよく、即ち、性能の改善、消費電力の低減、及びマルチタスクのより効率的な同時処理のために利用される、２つ以上のプロセッサコアを有してもよい。
【００５０】
処理回路３２は、メモリ４４を更に含む。いくつかの実施形態において、メモリ４４は、１つ以上のコンピュータプログラム４６を格納し、オプションとして、設定データ４８を格納する。メモリ４４は、コンピュータプログラム４６用の非一時的なストレージを提供し、ディスク記憶装置、ソリッドステートメモリストレージ、又はそれらの任意の組み合わせのような、１つ以上のタイプのコンピュータ読み取り可能媒体を含みうる。非限定的な例として、メモリ４４は、処理回路３２内に設けられうる、及び／又は処理回路３２とは別に設けられうる、ＳＲＡＭ、ＤＲＡＭ、ＥＥＰＲＯＭ、及びフラッシュメモリのうちの任意の１つ以上を含む。
【００５１】
一般に、メモリ４４は、ネットワークアクセスノード３０によって使用されるコンピュータプログラム４６及び任意の設定データ４８の、非一時的なストレージを提供する、１つ以上のタイプのコンピュータ読み取り可能記憶媒体を含む。ここで、「非一時的（non-transitory）」は、永久的な、半永久的な、又は少なくとも一時的に永続的なストレージを意味し、例えば、プログラム実行用の、不揮発性メモリ内の長期ストレージ及びワーキングメモリ内のストレージの両方を包含する。
【００５２】
処理回路３２は、単独であろうが他のデジタルハードウェアと結合していようが、本明細書で説明するような（ネットワークアクセスノード３０が送信機ノードとして機能するための）マルチキャリア変調技術、及び／又は、本明細書で説明するような（ネットワークアクセスノード３０が受信機ノードとして機能するための）１つ以上のマルチキャリア復調技術を実行するよう構成される。変調技術の例が図６に示されている。
【００５３】
図６は、逆高速フーリエ変換（ＩＦＦＴ）、又はより一般的には逆離散フーリエ変換（ＩＤＦＴ）を用いるＯＦＤＭ変調を示す。以下で更に詳しく説明するように、図６に示す信号処理構成についての２つ以上の同時インスタンス化（instantiation）が、マルチモード動作のために使用されうる。図４のダイアグラムに示すように、ＯＦＤＭサブキャリア数Ｎｃ及びサブキャリア間隔は変化しうる。サブキャリア数Ｎｃは、選択されたサブキャリア間隔及び全体の送信帯域幅に依存して、百未満から数千までに及びうる。
【００５４】
図６に示すように、各ＯＦＤＭ時間インターバルの期間中に、直並列変換器６０２によって、Ｎｃ個の被変調シンボルａ０からａＮｃ−１が、サイズＮのＩＤＦＴ６０４へ供給される。ＩＦＦＴサイズは、生成されうるサブキャリアの総数に相当し、生成されるサブキャリアの実際の数は、図６のＮｃである。
【００５５】
ＩＤＦＴ６０４の並列出力は、並直列変換器６０６によって直列の時間系列へ変換される。サイクリックプレフィックス挿入器６０８は、ＯＦＤＭ信号を時間分散に対してより感度が低くなるように、ＯＦＤＭシンボルの一部のコピーを当該ＯＦＤＭシンボルの先頭に挿入する。変換器６１０によるデジタル／アナログ変換の後に、最終的な出力信号ｘ(ｔ)が送信用に準備される。
【００５６】
図７は、ＦＦＴ処理、又はより一般的にはＤＦＴ処理を用いる復調を示す。受信信号ｒ(ｔ)は、サンプリングされ、ＣＰ除去器７０２によってサイクリックプレフィックスが除去される。直並列変換器７０４は、ＯＦＤＭシンボルのサンプルを、サイズＮのＤＦＴ７０６へ供給し、当該ＤＦＴは、被変調信号の多数のサブキャリアからデータシンボル値を抽出する。これらのデータシンボルは、その後、並直列変換器７０８によって、データシンボルの直列ストリームへ変換される。これらのデータシンボルは、その後、個別に復調されて、結果として得られたデータは復号される。
【００５７】
図８は、シングルキャリア周波数分割多元接続（ＳＣ−ＦＤＭＡ）と称されることもある、ＤＦＴベース・プリコーディング又はＤＦＴ拡散ＯＦＤＭ（ＤＦＴＳ−ＯＦＤＭ）を用いるＯＦＤＭ変調を示す。Ｍ個の変調シンボルのブロックが、サイズＭのＤＦＴ８０２へ適用される。ＤＦＴ８０２の出力は、その後、サイズＮのＩＤＦＴとして実装されたＯＦＤＭ変調器８０４の入力へ適用され、ＯＦＤＭ変調器８０４の各入力は、結果として得られる被変調信号のサブキャリアに対応する。ＯＦＤＭ変調器８０４におけるＩＤＦＴ出力の時間系列への変換後に、サイクリックプレフィックス挿入器８０６がサイクリックプレフィックスを挿入する。最終的に、出力信号ｘ(ｔ)は、デジタル／アナログ変換器８０８による変換の後に出力される。
【００５８】
図９は、サイクリックプレフィックス除去器９０２、サイズＮのＤＦＴ９０４、及びサイズＭのＩＤＦＴ９０６によって受信信号ｒ(ｔ)が処理される、ＯＦＤＭ復調を示す。図９に示すＤＦＴＳ−ＯＦＤＭ復調器は、図７のＯＦＤＭ復調器と似ているが、サイズＭのＩＤＦＴ９０６が追加されていることが理解されよう。
【００５９】
これまでに言及したように、ＯＦＤＭ及びＤＦＴＳ−ＯＦＤＭを、マルチキャリア変調／復調技術の例として説明したが、本発明の実施形態は、こうした技術に限定されない。また、簡単化のために、（周波数領域において行われうる）等化を図面から省略していることに留意されたい。
【００６０】
ＩＦＦＴサイズは、異なるヌメロロジー、又は送信パラメータの変形を用いて、変調方式に対して選択されうる。結果として生じる割り当てにより、同じ時間インターバルの、異なる周波数帯域部分において、異なるサブキャリア間隔を有するシンボルが提供されうる。例えば、図１０は、２つの同時に適用されるマルチキャリア変調１００２及び１００４を示す。変調器１００２は、２０４８のＩＦＦＴサイズで動作し、２０４８個の比較的狭い被変調サブキャリアを出力する能力があり、変調器１００４は、５１２のＩＦＦＴサイズで動作する。変調器１００４は、変調器１００２からのサブキャリアの４倍の広さの、最大５１２個のサブキャリアを生成しながら、４分の１の長さのシンボルも生成する。
【００６１】
図示された例では、それぞれが１６．８７５ｋＨｚの帯域幅を有する、変調器１００２のサブキャリア４００−１０００が生成され、変調器１００４からのサブキャリア２８０−４００は、それぞれ６７．５ｋＨｚの帯域幅を有する。変調器１００２及び１００４において使用される入力の範囲は、結果として生じるサブキャリアが互いにぶつからないように選択されることが理解されよう。図示された例では、変調器１００４からの１２１個の相対的に広いサブキャリアは、変調器１００２のサブキャリア１１２０−１６００によって占有されるであろうスペクトルの一部に対応する。このように、対応する変調器入力は使用されない。これにより、周波数領域において、２つのマルチキャリア変調器からの出力間に小さなギャップがもたらされ、これは、２つの被変調信号が、時間領域において送信前に互いに単純に足し合わされうることを意味する。その結果、所与の時間インターバルにおいて、変調方式１００２は、周波数帯域の第１の非オーバラップ部分について、より長いシンボルブロックをもたらし、変調方式１００４は、当該周波数帯域の第２の非オーバラップ部分において、より多くの間隔で、より短いシンボルブロックをもたらす。結果的に、同じ時間インターバル内で全て、異なるサブキャリア間隔を使用する異なる受信機ノードへ、シンボルを方向づけることができる。なお、これらの受信機ノードは、種々の実施形態において、ネットワークノード、ＵＥ、又は他の無線デバイスであってもよい。
【００６２】
本発明の実施形態は、周波数帯域の異なる部分に対して異なるマルチキャリア変調方式の使用を提供する。より具体的には、これは、周波数帯域の第１の部分が、所定長の１つ以上の時間インターバルのそれぞれに第１の整数個のシンボルインターバルを有する第１の信号を含み、当該帯域の第２の部分が、所定長の１つ以上の時間インターバルのそれぞれに、第２の整数個のシンボルインターバルを有する第２の信号を同時に含み、第２の整数は第１の整数と異なる、ことを意味する。これらの信号は、当該周波数帯域において第１及び第２の信号が周波数領域多重化され、かつ、第１の信号におけるシンボルインターバル開始時間が、時間インターバルごとに少なくとも１回、第２の信号における対応するシンボルインターバル開始時間とアラインされるように、当該周波数帯域で同時に送信されうる。
【００６３】
これは、周波数帯域のうちの異なる部分において、サブキャリア間隔及び／又はシンボル期間が異なりうることを意味する。図１０に示される例では２つのマルチキャリア変調方式が組み合わされているが、これは、周波数帯域のうちの非衝突部分が複数の変調器に割り当てられる限り、３つ、４つ、又はそれ以上の数のマルチキャリア変調方式へ拡張可能であることが理解されよう。
【００６４】
本明細書で説明する技術の種々の実施形態によれば、送信機ノード及び／又は受信機ノードは、図６〜１０に記載されたマルチキャリア変調及び復調技術の種々の組み合わせ、又は他のマルチキャリア変調技術を用いて、通信を実行しうる。例えば、図５に戻って参照すると、ネットワークアクセスノード３０の処理回路３２のプロセッサ４２は、マルチキャリア変調を実行する送信機ノードとしてネットワークアクセスノード３０を動作させるようにプロセッサ４２を構成する、メモリ４４に格納されたコンピュータプログラム４６を実行しうる。処理回路３２は、１つ以上のプログラムベース・プロセッサと協働して、ＤＦＴ／ＩＤＦＴ処理を実行するための専用のデジタルハードウェアを含みうる。プロセッサ４２は、例えば、所定長の１つ以上の時間インターバルのそれぞれに第１の整数個のシンボルインターバルを有する第１の信号を生成し、所定長の１つ以上の時間インターバルのそれぞれに、第２の整数個のシンボルインターバルを有する第２の信号を生成するように構成されており、第２の整数は第１の整数と異なる。プロセッサ４２は、更に、周波数帯域において第１及び第２の信号が周波数領域多重化され、かつ、第１の信号におけるシンボルインターバル開始時間が、時間インターバルごとに少なくとも１回、第２の信号における対応するシンボルインターバル開始時間とアラインされるように、当該周波数帯域で第１及び第２の信号を同時に送信するよう送受信回路３６を制御する、ように更に構成される。この構成及び機能は、処理回路３２内の変復調回路４０として言及されうる。
【００６５】
図１１は、図１０の処理回路３２によって実行されうるような、マルチモード信号を送信するための一例の方法１１００を示す。方法１１００は、ブロック１１１０に示されるように、所定長の１つ以上の時間インターバルのそれぞれに第１の整数個のシンボルインターバルを有する第１の信号を生成することを含む。ブロック１１２０に示されるように、本方法は、所定長の１つ以上の時間インターバルのそれぞれに第２の整数個のシンボルインターバルを有する第２の信号を生成することを更に含み、第２の整数は第１の整数と異なる。最終的に、ブロック１１３０に示されるように、本方法は、周波数帯域において第１及び第２の信号が周波数領域多重化され、かつ、第１の信号におけるシンボルインターバル開始時間が、時間インターバルごとに少なくとも１回、第２の信号における対応するシンボルインターバル開始時間とアラインされるように、当該周波数帯域で第１及び第２の信号を同時に送信することを含む。
【００６６】
図示された方法のいくつかの実施形態において、第１及び第２の信号は、それぞれ、第１及び第２のサブキャリア間隔を有し、第１及び第２のサブキャリア間隔は互いに異なる。これらの実施形態のいくつか及びいくつかの他の実施形態において、第１の信号における各シンボルインターバルは、シンボル期間及びサイクリックプレフィックス期間を含み、当該サイクリックプレフィックス期間及び当該シンボル期間は、それぞれ複数のシンボルインターバル間で一定である。他の実施形態において、第１の信号における各シンボルインターバルは、シンボル期間及びサイクリックプレフィックス期間を含み、当該サイクリックプレフィックス期間は、所定のパターンに従って、複数のシンボルインターバル間で変化する。上記のように、いくつかの実施形態において、第１及び第２の信号のうちの１つは、ＬＴＥ信号であってもよい。
【００６７】
いくつかの実施形態において、１つ以上の時間インターバルの所定長は、１／Ｚミリ秒であり、ここで、Ｚは整数である。いくつかの実施形態において、第１の信号の各シンボルインターバルは、第１のシンボル期間を含み、第２の信号の各シンボルインターバルは、第１のシンボル期間と異なる第２のシンボル期間を含み、第１及び第２のシンボル期間は、それぞれ、１／（３４．５６ＭＨｚ）のサンプリングインターバル（即ち、１／３４．５６マイクロ秒）の整数倍である。いくつかの実施形態において、これらの整数倍は、それぞれ２の累乗である。
【００６８】
いくつかの実施形態において、第１及び第２の信号の一方又は両方は、時間インターバルについての所定長に等しい周期性を有する参照信号系列を含む。これらの実施形態のいくつか及びいくつかの他の実施形態において、第１及び第２の信号の一方又は両方は、時間インターバルについての所定長と同じ、又は時間インターバルについての所定長の整数倍に等しい周期性を有する同期信号を含む。
【００６９】
いくつかの実施形態において、図１１のブロック１１３０に示される送信は、時分割複信（ＴＤＤ）方式の１つ以上の送信インターバルの期間中に実行され、ＴＤＤ方式の送信インターバルと受信インターバルとの間の切り替えは、所定長の整数個の時間インターバルによって区切られた切り替え時間にのみ実行される。
【００７０】
図１１に示す方法のいくつかの実施形態において、第１及び第２の信号のそれぞれを生成することは、所定の逆高速フーリエ変換（ＩＦＦＴ）長に適合させるためにデータサンプルの系列を０でパディングすることと、データサンプルの当該パディングされた系列に対してＩＦＦＴを実行することと、当該ＩＦＦＴの出力を、パルス整形フィルタでフィルタリングすることと、を含む。第１及び第２の信号についてのパルス整形フィルタの出力は、その後に合成される。これらの実施形態におけるパディングは、第１及び第２の信号についてのＩＦＦＴ出力が周波数領域で多重化されるように実行される。これらの実施形態のいくつかにおいて、第１及び第２の信号のそれぞれを生成することは、データサンプルの系列を得るために一連のサンプル値に対して高速フーリエ変換（ＦＦＴ）を実行することを含み、上記で言及されたパディングは、第１及び第２の信号についてのＩＦＦＴ出力が周波数領域においてオーバラップしないように、データサンプルの系列を、先行する０若しくは後続する０又はその両方と連結させることを含む。
【００７１】
図５を再度参照すると、処理回路３２のプロセッサ４２は、本明細書で説明されるようなマルチモード・マルチキャリア信号の受信及び復調を実行する受信機ノードとしてネットワークアクセスノードを動作させるようにプロセッサ４２を構成する、メモリ４４に格納されたコンピュータプログラム４６を実行しうる。このように、プロセッサ４２は、例えば、送受信機３６を用いて、周波数帯域で無線周波数信号を受信し、所定長の１つ以上の時間インターバルのそれぞれに第１の整数個のシンボルインターバルを有する第1の信号を、受信した無線周波数信号から復元し、かつ、当該無線周波数信号から、所定長の１つ以上の時間インターバルのそれぞれに第２の整数個のシンボルインターバルを有する第２の信号を復元するように構成され、第１の整数は第２の整数と異なり、第１及び第２の信号は、当該周波数帯域で周波数領域多重化されており、かつ、時間インターバルの少なくとも１つで時間的にオーバラップしており、第１の信号におけるシンボルインターバル開始時間が、時間インターバルごとに少なくとも１回、第２の信号における対応するシンボルインターバル開始時間とアラインされている。この構成及び機能は、処理回路３２内の変復調回路４０として又はその一部としても言及されうる。
【００７２】
図１２は、図１０の処理回路３２によって実行されうるような、マルチモード信号を受信及び復調するための一例の方法１２００を示す。方法１２００は、ブロック１２１０に示されるように、周波数帯域で無線周波数信号を受信することを含む。ブロック１２２０に示されるように、本方法は、所定長の１つ以上の時間インターバルのそれぞれに第１の整数個のシンボルインターバルを有する第１の信号を、受信した無線周波数信号から復元することを更に含む。ブロック１２３０に示されるように、本方法は、所定長の１つ以上の時間インターバルのそれぞれに第２の整数個のシンボルインターバルを有する第２の信号を、受信した無線周波数信号から復元し、第２の整数は第１の整数と異なる。図示される方法において、第１及び第２の信号は、周波数帯域で周波数領域多重化されており、かつ、時間インターバルの少なくとも１つで時間的にオーバラップしており、第１の信号におけるシンボルインターバル開始時間は、時間インターバルごとに少なくとも１回、第２の信号における対応するシンボルインターバル開始時間とアラインされている。
【００７３】
いくつかの実施形態において、本方法は、第１の信号に含まれる同期信号を用いて当該第１の信号に同期することと、当該同期することに基づいて、第１の信号についてのシンボルタイミングを判定することと、第１の信号についてのシンボルタイミングに基づいて、第２の信号についてのシンボルタイミングを判定することと、を更に含む。これらの動作は、図１２のブロック１２４０，１２５０及び１２６０に示されている。
【００７４】
ネットワークアクセスノード３０は、ノード、ネットワークノード又は無線ネットワークノードと称されてもよい。ネットワークアクセスノード３０は、基地局、無線基地局、基地局装置、拡張ＮｏｄｅＢ（ｅＮｏｄｅＢ）、ＮｏｄｅＢ、中継ノード、アクセスポイント、無線アクセスポイント、超高密度ネットワーク（ＵＤＮ：Ultra Dense Network）／ソフトウェア定義ネットワーク（ＳＤＮ：Software Defined Network）無線アクセスノード、リモートラジオユニット（ＲＲＵ：Remote Radio Unit）、リモートラジオヘッド（ＲＲＨ：Remote Radio Head）等を含みうる、任意の種類のネットワークアクセスノードでありうる。
【００７５】
図１３は、いくつかの実施形態に係る、ユーザ装置５０のような無線デバイスの図を示す。説明を簡単にするために、ユーザ装置５０は、ネットワークで動作しうる任意の無線デバイスを表すものともみなされうる。本明細書では、ＵＥ５０は、無線信号を介してネットワークノード又は他のＵＥと通信する能力を有する任意のタイプの無線デバイスでありうる。ＵＥ５０は、無線通信デバイス、ターゲットデバイス、デバイス・ツー・デバイス（Ｄ２Ｄ）ＵＥ、マシン・ツー・マシン通信（Ｍ２Ｍ）の能力があるマシンタイプＵＥ又はＵＥ、ＵＥを備えたセンサ、ＰＤＡ（パーソナル・デジタル・アシスト）、タブレット、モバイル端末、スマートフォン、laptop embedded equipped（ＬＥＥ）、laptop mounted equipment（ＬＭＥ）、ＵＳＢドングル、カスタマ構内設備（ＣＰＥ：Customer Premises Equipment）等でありうる。
【００７６】
ＵＥ５０は、アンテナ５４及び送受信回路５６を介して、ネットワークアクセスノード３０のような無線ノード又は基地局と通信する。送受信回路５６は、セルラ通信サービスの提供を目的として、無線アクセス技術に従って信号を送信及び受信するようまとめて構成された、送信回路、受信回路、及び関連する制御回路を含みうる。
【００７７】
ＵＥ５０は、送受信回路５６と動作可能に結合した、１つ以上の処理回路５２を更に含む。処理回路５２は、１つ以上のデジタル処理回路（例えば、１つ以上のマイクロプロセッサ、マイクロコントローラ、デジタル・シグナル・プロセッサ（ＤＳＰ）、フィールド・プログラマブル・ゲート・アレイ（ＦＰＧＡ）、コンプレックス・プログラマブル・ロジック・デバイス（ＣＰＬＤ）、特定用途向け集積回路（ＡＳＩＣ）、又はそれらの任意の組み合わせ）を含む。より一般的には、処理回路５２は、不変の回路、若しくは、本明細書で教示される機能を実現するプログラム命令の実行により構成されるプログラマブル回路を含みうるか、又は、不変の回路及びプログラムされた回路の何らかの組み合わせを含みうる。処理回路５２は、マルチコアであってもよい。
【００７８】
処理回路５２は、メモリ６４を更に含む。いくつかの実施形態において、メモリ６４は、１つ以上のコンピュータプログラム６６を格納し、オプションとして、設定データ６８を格納する。メモリ６４は、コンピュータプログラム６６用の非一時的なストレージを提供し、ディスク記憶装置、ソリッドステートメモリストレージ、又はそれらの任意の組み合わせのような、１つ以上のタイプのコンピュータ読み取り可能媒体を含みうる。非限定的な例として、メモリ６４は、処理回路５２内に設けられうる、及び／又は処理回路５２とは別に設けられうる、ＳＲＡＭ、ＤＲＡＭ、ＥＥＰＲＯＭ、及びフラッシュメモリのうちの任意の１つ以上を含む。一般に、メモリ６４は、ユーザ装置５０によって使用されるコンピュータプログラム６６及び任意の設定データ６８の、非一時的なストレージを提供する、１つ以上のタイプのコンピュータ読み取り可能記憶媒体を含む。
【００７９】
ＵＥ５０は、例えば変復調回路６０を用いて、少なくとも、図４〜１２に示される変調及び復調を実行するよう構成されうる。例えば、処理回路５２のプロセッサ６２は、ネットワークアクセスノード３０のプロセッサ４２について上記で説明したように、送信機ノードとして動作するようプロセッサ６２を構成する、メモリ６４に格納されたコンピュータプログラム６６を実行しうる。この機能は、処理回路５２内の変復調回路６０によって実行されうる。このように、ＵＥ５０の処理回路５２は、図１１の方法１１００等の、マルチキャリア変調のための方法、及び上述した方法のいくつかの変形を実行するよう構成されうる。
【００８０】
処理回路５２のプロセッサ６２は、ネットワークアクセスノード３０のプロセッサ４２について上記で説明したように、受信機ノードとしてユーザ装置ノード５０を動作させるようプロセッサ６２を構成する、メモリ６４に格納されたコンピュータプログラム６６を実行しうる。この機能は、処理回路５２内の変復調回路６０によって実行されうる。このように、ＵＥの処理回路５２は、以下で説明するような図１２の方法１２００等の、マルチキャリア復調のための方法及びその変形を実行するよう構成されうる。
【００８１】
場合によっては、ネットワークアクセスノード３０等の送信機ノードは、そのような変調技術及び復調技術の両方により動作するよう構成されうる一方で、ＵＥ５０等の受信機ノードは、単に、単一のマルチキャリア変調技術に従って、当該受信機ノードを対象としたシンボルを受信及び復調できる。
【００８２】
図１４は、例えば、図５の変復調回路４０又は図１３の変復調回路６０に基づいて、送信機ノードとして動作するノードに実装されうるような、一例の機能モジュール又は回路アーキテクチャを示す。図示される実施形態は、所定長の１つ以上の時間インターバルのそれぞれに第１の整数個のシンボルインターバルを有する第１の信号を生成するための、第１信号生成モジュール１４０２と、所定長の１つ以上の時間インターバルのそれぞれに第２の整数個のシンボルインターバルを有する第２の信号を生成するための、第２信号生成モジュール１４０４と、ここで第２の整数は第１の整数と異なり、周波数帯域において第１及び第２の信号が周波数領域多重化され、かつ、第１の信号におけるシンボルインターバル開始時間が、時間インターバルごとに少なくとも１回、第２の信号における対応するシンボルインターバル開始時間とアラインされるように、当該周波数帯域で第１及び第２の信号を同時に送信するための、送信モジュール１４０６と、を少なくとも機能的に含む。
【００８３】
上述の図１１のいくつかの変形の全てが、図１４に示される装置に同様に適用可能であることが理解されよう。
【００８４】
図１５は、例えば、図５の変復調回路４０又は図１３の変復調回路６０に基づいて、受信機ノードとして動作するノードに実装されうるような、一例の機能モジュール又は回路アーキテクチャを示す。図示される実施形態は、周波数帯域で無線周波数信号を受信するよう構成された、受信モジュール１５０２と、所定長の１つ以上の時間インターバルのそれぞれに第１の整数個のシンボルインターバルを有する第１の信号を、受信した無線周波数信号から復元するための、第１信号復元モジュール１５０４と、所定長の１つ以上の時間インターバルのそれぞれに第２の整数個のシンボルインターバルを有する第２の信号を、受信した無線周波数信号から復元するための、第２信号復元モジュール１５０６と、を少なくとも機能的に含み、第２の整数は第１の整数と異なる。これらのモジュールは、周波数帯域で周波数領域多重化されており、かつ、時間インターバルの少なくとも１つで時間的にオーバラップしている、第１及び第２の信号に対して作用するよう構成されており、第１の信号におけるシンボルインターバル開始時間は、時間インターバルごとに少なくとも１回、第２の信号における対応するシンボルインターバル開始時間とアラインされている。
【００８５】
上述の図１２のいくつかの変形の全てが、図１５に示される装置に同様に適用可能であることが理解されよう。
【００８６】
本明細書に記載の種々の技術の効果は、マルチモードのマルチキャリア信号における２つ以上の信号のシンボルの、周期的なアライメントが可能になることである。これにより、いずれの信号の品質も失うことなく時分割複信（ＴＤＤ）動作が可能になる（部分的にカットオフされるシンボルが無い）。本技術は、更に、２つ以上の信号にわたって協調したスケジューリング及び制御方式のより簡易な実装を可能にする。２つの信号のシンボル間の周期的なアライメントが生じるという事実は、更に、受信機における同期アルゴリズムを簡単にし、これにより、受信機が、簡易化されたプロセスを使用して、一方の信号のシンボルの開始時刻を、他方の信号のシンボルの開始時刻に基づいて導出することが可能になる。
【００８７】
とりわけ、上述の説明及び関連する図面で提示した教示の恩恵を受ける当業者は、開示した（複数の）発明の変更及び他の実施形態が思い浮かぶであろう。したがって、開示した特定の実施形態及びその変更に本発明が限定されないこと、及び本開示の範囲内に他の実施形態が含まれることが意図されていることは、理解されるべきである。本明細書では特定の用語が採用されうるが、それらは、一般的及び記述的な意味のみで使用されており、限定を目的として使用されてはいない。
【図１】
0006691555.tif 000005
【図２】
0006691555.tif 000006
【図３】
0006691555.tif 000007
【図４】
0006691555.tif 000008
【図５】
0006691555.tif 000009
【図６】
0006691555.tif 000010
【図７】
0006691555.tif 000011
【図８】
0006691555.tif 000012
【図９】
0006691555.tif 000013
【図１０】
0006691555.tif 000014
【図１１】
0006691555.tif 000015
【図１２】
0006691555.tif 000016
【図１３】
0006691555.tif 000017
【図１４】
0006691555.tif 000018
【図１５】
0006691555.tif 000019